【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記複数のリールの回転を開始させる契機となるスタート操作手段と、
前記リールの回転を停止させる契機となる停止操作手段と、
所定の役決定開始条件が満足されたことを契機として役決定を行う役決定手段と、
前記役決定手段による役決定結果と前記停止操作手段の操作とに基づき前記複数のリールの駆動を制御するリール制御手段と、
所定の遊技状態変更条件が満足されたことを契機として、複数の遊技状態の間で遊技状態を移行させる遊技状態制御手段と、
前記役決定手段の役決定結果に応じて、前記停止操作手段の操作順序を報知する報知制御手段と、を備え、
前記複数の遊技状態のうちの１つとして、特別役に対応する図柄組合せが停止表示されることにより移行される特別遊技状態が設けられており、
前記役決定手段は、前記特別役が決定されていない第１の期間内においては、前記特別役が抽選対象に含まれる第１抽選テーブルを用いて役決定を行い、前記特別役が既に決定されかつ当該特別役が成立していない第２の期間内においては、前記特別役が抽選対象に含まれず、かつ、特定再遊技役が前記第１の期間と比較して高確率で決定される第２抽選テーブルを用いて役決定を行うように構成されており、
前記特定再遊技役は、所定の再遊技役と当該所定の再遊技役とは異なる他の再遊技役とが重複当選する再遊技役であり、
前記所定の再遊技役は、前記停止操作手段の操作順序が特定の順序であることが、当該所定の再遊技役を構成する図柄組合せを停止表示させるリール制御が実行されるための必要条件として設定された役であり、
前記報知制御手段は、前記第２の期間内において前記特定再遊技役が決定された場合に、前記特定の順序を遊技者に報知する、ことを特徴とするスロットマシン。
【手続補正２】
【補正対象書類名】明細書
【補正対象項目名】００１５
【補正方法】変更
【補正の内容】
【００１５】
本発明はこのような事情に鑑みてなされたもので、特別役の当選が持ち越された遊技状態中に行われる遊技の興趣を効果的に向上させることが可能なスロットマシンを提供することを目的とする。
【手続補正３】
【補正対象書類名】明細書
【補正対象項目名】００１６
【補正方法】変更
【補正の内容】
【００１６】
上記目的を達成するため本発明に係るスロットマシンは、以下の特徴を備えている。なお、以下の特徴構成の説明では、後述する実施形態において対応する構成の一例を括弧書きで示している。
本発明に係るスロットマシンは、複数種類の図柄を可変表示する複数のリールと、複数のリールの回転を開始させる契機となるスタート操作手段（例えば、スタートレバー２５）と、リールの回転を停止させる契機となる停止操作手段（例えば、ストップスイッチ２６ａ，２６ｂ，２６ｃ）と、所定の役決定開始条件が満足されたことを契機として役決定を行う役決定手段と、役決定手段による役決定結果と停止操作手段の操作とに基づき複数のリールの駆動を制御するリール制御手段と、所定の遊技状態変更条件が満足されたことを契機として、複数の遊技状態の間で遊技状態を移行させる遊技状態制御手段と、役決定手段の役決定結果に応じて、停止操作手段の操作順序を報知する報知制御手段（アシスト演出手段１１１）と、を備え、前記複数の遊技状態のうちの１つとして、特別役（例えば、ＲＢ１）に対応する図柄組合せが停止表示されることにより移行される特別遊技状態が設けられており、役決定手段は、前記特別役が決定されていない第１の期間内においては、前記特別役が抽選対象に含まれる第１抽選テーブルを用いて役決定を行い、前記特別役が既に決定されかつ当該特別役が成立していない第２の期間内においては、前記特別役が抽選対象に含まれず、かつ、特定再遊技役が前記第１の期間と比較して高確率で決定される第２抽選テーブルを用いて役決定を行うように構成されており、前記特定再遊技役は、所定の再遊技役と当該所定の再遊技役とは異なる他の再遊技役とが重複当選する再遊技役であり、前記所定の再遊技役は、停止操作手段の操作順序が特定の順序であることが、当該所定の再遊技役を構成する図柄組合せを停止表示させるリール制御が実行されるための必要条件として設定された役であり、報知制御手段は、前記第２の期間内において前記特定再遊技役が決定された場合に、前記特定の順序を遊技者に報知する、ことを特徴とする。
このような特徴構成のスロットマシンによれば、特別役が決定されていない第１の期間内（特別役の当選が持ち越される前の遊技状態中）と、特別役が既に決定されているが成立していない第２の期間内（特別役の当選が持ち越された遊技状態中）とで異なる遊技性を実現し、特別役の当選が持ち越された遊技状態中に行われる遊技の興趣を効果的に向上させることが可能となる。
また、特別役の当選が持ち越された遊技状態中に特定再遊技役が決定された場合に、報知制御手段が特定の順序を遊技者に報知することにより、高確率で所定の再遊技役を成立させる（所定の再遊技役を構成する図柄組合せを停止表示させる）ことが可能となる。
【手続補正４】
【補正対象書類名】明細書
【補正対象項目名】００１７
【補正方法】変更
【補正の内容】
【００１７】
参考発明に係るスロットマシンは、複数種類の図柄を可変表示する複数のリールと、複数のリールの回転開始及び回転停止に関するリール操作を受け付ける操作手段と、所定の役決定開始条件が満足されたことを契機として役決定を行う役決定手段と、操作手段が受け付けたリール操作と役決定手段による前記役決定の結果とに基づき複数のリールの駆動を制御するリール制御手段と、所定の遊技状態変更条件（例えば、条件Ａ〜Ｃのいずれか）が満足されたことを契機として、複数の遊技状態（例えば、非ＲＴ、ＢＢ、ＲＴの各遊技状態）の間で遊技状態を移行させる遊技状態制御手段と、を備え、複数の遊技状態のうちの１つとして、遊技者にとって通常よりも有利な遊技条件が設定される契機となる所定の特別役（例えば、ＲＢ１）の決定が行われる特別遊技状態（例えば、ＢＢ遊技状態）が設けられており、役決定手段は、特別遊技状態にあって所定の特別役が決定されていない期間内においては、所定の特別役よりも成立を優先される所定の役（例えば、再遊技役１）が所定の特別役と重複して決定されるという条件の下で役決定を行い、特別遊技状態にあって所定の特別役が既に決定されかつ当該所定の特別役が成立していない期間内においては、所定の特別役よりも成立を優先される所定の再遊技役（例えば、再遊技役２）が所定の高確率で決定されるという条件の下で役決定を行うように構成されており、所定の再遊技役が決定されたことを契機として、遊技者に所定の特典（例えば、アシスト可能回数の上乗せ）を付与するための選択を行う特典付与選択手段を備えている、ことを特徴とする。
【手続補正５】
【補正対象書類名】明細書
【補正対象項目名】００２１
【補正方法】変更
【補正の内容】
【００２１】
また、参考発明に係るスロットマシンでは、特別遊技状態において、所定の特別役とは異なる別の特別役についての決定も行われるように構成することができる。
【手続補正６】
【補正対象書類名】明細書
【補正対象項目名】００２３
【補正方法】変更
【補正の内容】
【００２３】
また、参考発明に係るスロットマシンでは、所定の特別役及び別の特別役のうちの少なくとも一方の特別役において、当該特別役を構成する対応図柄を、特別遊技状態の遊技中に操作手段が受け付けた回転停止に関するリール操作のタイミングに関わらず、必ず所定位置に停止表示され得るように複数のリール上に配列することができる。
【手続補正７】
【補正対象書類名】明細書
【補正対象項目名】００２５
【補正方法】変更
【補正の内容】
【００２５】
また、参考発明に係るスロットマシンにおいて、前記所定の役は、当該所定の役を構成する対応図柄が前記所定の再遊技役を構成する対応図柄とは異なる別の再遊技役とされている、とすることができる。
【手続補正８】
【補正対象書類名】明細書
【補正対象項目名】００２７
【補正方法】変更
【補正の内容】
【００２７】
また、参考発明に係るスロットマシンは、特別遊技状態にあって所定の特別役が既に決定されかつ当該所定の特別役が成立していない期間内においては、複数のリールのうちの所定の１つのリール上の図柄のみが相異なる各対応図柄によりそれぞれ構成される複数の所定の小役のうち、少なくとも１つを除くその余の所定の小役を決定し、当該その余の所定の小役が決定された遊技において、決定された当該その余の所定の小役を成立させることが可能なタイミングで回転停止に関するリール操作がなされた場合には、当該その余の所定の小役を所定の特別役よりも優先して成立させるように構成することができる。
【手続補正９】
【補正対象書類名】明細書
【補正対象項目名】００２９
【補正方法】変更
【補正の内容】
【００２９】
本発明に係るスロットマシンによれば、特別役の当選が持ち越された遊技状態中において、所定の再遊技役を構成する対応図柄を、遊技が行われる毎に高確率で連続して停止表示させることができるので、このような遊技状態中に行われる遊技の興趣を効果的に向上させることが可能となる。